(57)【要約】【課題】本発明の目的は、第一動作部材に連動する連動部の動きを多彩にした遊技機を提供する。【解決手段】パチンコ機は、第一動作部材１４０、第二動作部材２３０、装飾カバー５０を備える。第一動作部材１４０は、第一駆動モータと第二駆動モータとの駆動に伴って、例えば正面視で時計回りに動作する。第二動作部材２３０は、第三駆動モータの動作に伴って回転移動する。装飾カバー５０は、第一動作部材１４０と第二動作部材２３０の夫々に連結する装飾部材である。装飾カバー５０は、第一動作部材１４０と第二動作部材２３０の夫々に連動して動作する。第一動作部材１４０に連動する装飾カバー５０の動作態様は、第二動作部材２３０の動作に応じて変化する。【選択図】図４
2018094136.tif 000002
【特許請求の範囲】
【請求項１】
第一駆動手段と、
前記第一駆動手段の駆動に伴って動作する第一動作部材と、
第一動作部材とは独立して動作可能な第二動作部材と、
前記第一動作部材と前記第二動作部材との夫々に連結する部材であって、前記第一動作部材と前記第二動作部材の夫々の動作に連動して動作する連動部を有する連結部材と
を備え、
前記第一動作部材に連動する前記連動部の動作態様は、前記第二動作部材の動作に応じて、変化することを特徴とする遊技機。
【請求項２】
前記第一駆動手段とは異なる第二駆動手段を備え、
前記第二動作部材は、前記第二駆動手段の駆動に伴って動作可能であることを特徴とする請求項１に記載の遊技機。
【請求項３】
前記第一動作部材は、前記第一駆動手段の駆動に伴って、第一方向と、前記第一方向と交差する第二方向とに揺動し、
前記連動部は、前記第一方向と前記第二方向に連動して動作することを特徴とする請求項１又は２に記載の遊技機。
【請求項４】
前記第二動作部材は、前記第一動作部材の動作する方向と交差する方向に動作し、
前記連動部は、前記交差する方向に連動して動作することを特徴とする請求項１〜３のいずれかに記載の遊技機。
【請求項５】
前記第二動作部材は、前記連動部の動作に連動して動作可能であることを特徴とする請求項１〜４のいずれかに記載の遊技機。
【発明の詳細な説明】
【技術分野】
【０００１】
本発明は遊技機に関する。
【背景技術】
【０００２】
従来、第一動作部材、連動部、及び第二動作部材を備えた遊技機が知られている。連動部は第一動作部材の動作に連動する。例えば、特許文献１に開示される遊技機は、第一装飾体、第二装飾体、及び第三装飾体を備える。第一装飾体は、第一動作部材の一例である。第二装飾体は、連動部の一例である。第三装飾体は、第二動作部材の一例である。第二装飾体は、第一装飾体の上下動に連動して、上下動する。第三装飾体は、第二装飾体の上下動に連動して、上下動する。
【先行技術文献】
【特許文献】
【０００３】
【特許文献１】特開２０１５−１００４５２号公報
【発明の概要】
【発明が解決しようとする課題】
【０００４】
しかしながら、上記遊技機では、第二装飾体は、第一装飾体には連動する一方、第三装飾体には連動しない。従って、第二装飾体の動きが単調になる可能性がある。
【０００５】
本発明の目的は、第一動作部材に連動する連動部の動きを多彩にした遊技機を提供することである。
【課題を解決するための手段】
【０００６】
本発明に係る遊技機は、第一駆動手段と、前記第一駆動手段の駆動に伴って動作する第一動作部材と、第一動作部材とは独立して動作可能な第二動作部材と、前記第一動作部材と前記第二動作部材との夫々に連結する部材であって、前記第一動作部材と前記第二動作部材の夫々の動作に連動して動作する連動部を有する連結部材とを備え、前記第一動作部材に連動する前記連動部の動作態様は、前記第二動作部材の動作に応じて、変化することを特徴とする。上記構成によれば、連動部が連動する動作態様は、第二動作部材の動作に応じて変化する。故に、遊技機は、第一動作部材に連動する連動部の動きを多彩にできる。
【０００７】
前記遊技機において、前記第一駆動手段とは異なる第二駆動手段を備え、前記第二動作部材は、前記第二駆動手段の駆動に伴って動作可能であってもよい。この場合、第二動作部材が、第二駆動手段から動力を得て動作するので、第二動作部材の動作は安定化する。
【０００８】
前記遊技機において、前記第一動作部材は、前記第一駆動手段の駆動に伴って、第一方向と、前記第一方向と交差する第二方向とに揺動し、前記連動部は、前記第一方向と前記第二方向に連動して動作してもよい。この場合、連動部の動きは更に多彩になる。
【０００９】
前記遊技機において、前記第二動作部材は、前記第一動作部材の動作する方向と交差する方向に動作し、前記連動部は、前記交差する方向に連動して動作してもよい。この場合、連動部の動きは更に多彩になる。
【００１０】
前記遊技機において、前記第二動作部材は、前記連動部の動作に連動して動作可能であってもよい。この場合、第二動作部材が、連動部の動作に連動して動作できるので、連動部材に作用する負荷が低減する。
【図面の簡単な説明】
【００１１】
【図１】パチンコ機１の正面図である。
【図２】遊技盤２の正面図である。
【図３】可動役物３０を左前上方から見た斜視図である。
【図４】可動役物３０の分解斜視図である。
【図５】第一動作部材１４０が左右基準位置及び上下基準位置にある、上可動機構１００の正面図である。
【図６】図５の上可動機構１００を左前上方から見た斜視図である。
【図７】図５の上可動機構１００を右前上方から見た斜視図である。
【図８】第二動作部材２３０が後退位置にある、下可動機構２００の左前上方から見た斜視図である。
【図９】図８の下可動機構２００から下支持部２０２を取り除いた斜視図である。
【図１０】下基部２０１を取り除いた、下可動機構２００の背面図である。
【図１１】上作動部１０４の状態遷移を示す平面図である。
【図１２】第一動作部材１４０が左右基準位置から左側に揺動した、上可動機構１００の正面図である。
【図１３】第一動作部材１４０が左右基準位置から右側に揺動した、上可動機構１００の正面図である。
【図１４】上作動部１０４の状態遷移を示す左側面図である。
【図１５】第一動作部材１４０が上下基準位置から下側に揺動した、上可動機構１００の正面図である。
【図１６】第一動作における下作動部２０３の状態遷移を示す説明図である。
【図１７】第二動作部材２３０が進出位置にある、下可動機構２００の左前上方から見た斜視図である。
【図１８】図１７の下可動機構２００から下支持部２０２を取り除いた斜視図である。
【図１９】第二動作における下作動部２０３の状態遷移を示す説明図である。
【図２０】第一上駆動処理に伴って動作する可動役物３０の左側面図である。
【図２１】第二上駆動処理に伴って動作する可動役物３０の左側面図である。
【図２２】第一動作処理又は第二動作処理が開始された直後の可動役物３０の左側面図である。
【図２３】第一動作処理又は第二動作処理に伴って動作する可動役物３０の左側面図である。
【図２４】第一動作処理又は第二動作処理に伴って動作する可動役物３０の別の左側面図である。
【発明を実施するための形態】
【００１２】
本発明の一実施形態であるパチンコ機１について、図面を参照して説明する。以下の説明では、図１の手前側、奥側、上側、下側、左側、及び右側を、それぞれ、パチンコ機１の前側（正面側）、後側（背面側）、上側、下側、左側、及び右側とする。
【００１３】
（１．パチンコ機１の概略構造）
図１及び図２を参照し、パチンコ機１の概略構造を説明する。パチンコ機１には、遊技盤２が設けられている。遊技盤２は、正面視で略正方形の板状であり、透明なガラス板を保持した前面枠１３によって前面を保護されている。遊技盤２の下部には上皿５が設けられている。上皿５は、発射機（図示外）に遊技球（図示外）を供給し、且つ賞球を受ける。上皿５の上部中央には、遊技者によって操作される操作ボタン９が設けられている。上皿５の直下には、賞球を受ける下皿６が設けられている。下皿６の右横には、遊技球の発射を調整する発射ハンドル７が設けられている。前面枠１３の上部の左右の角には、スピーカ４８がそれぞれ設けられている。
【００１４】
遊技盤２の前面には、ガイドレール３で囲まれた略円形の遊技領域４が形成されている。発射機によって発射された遊技球は、遊技領域４内を流下する。遊技領域４の略中央に、枠状の装飾枠１４が配設されている。装飾枠１４の後方には、後述の可動役物３０が設けられている。装飾枠１４の中央下側に、第一始動口１５が設けられている。第一始動口１５の直下に、開閉部材を備えた第二始動口１６が設けられている。第二始動口１６は、開閉部材が開放された場合にのみ遊技球が入賞可能である。第二始動口１６の下側に、遊技領域４の中央下端部まで流下した遊技球を回収するアウト口１７が設けられる。
【００１５】
遊技盤２の後面側には、ＬＣＤ（液晶ディスプレイ）等で構成される表示面２７を有する画像表示装置２８が設けられている。表示面２７は、正面視で装飾枠１４の内側に設けられ、前方に向けて画像を表示可能である。表示面２７には、特別図柄に基づく当たり判定（大当たり判定）の結果を遊技者に報知するための複数のデモ図柄が表示される。複数のデモ図柄は、遊技球が第一始動口１５及び第二始動口１６のいずれかに入賞すると変動を開始し、その変動後に大当たり判定の結果に応じた組み合わせで確定表示される。
【００１６】
遊技盤２の後面側には、主基板（図示外）、サブ基板（図示外）等を含む制御部が設けられている。主基板はパチンコ機１の主制御を司る。主基板には、各種の演算処理を実行するＣＰＵ、データを一時的に記憶するＲＡＭ、及び制御プログラム等を記憶したＲＯＭが設けられている。サブ基板は、主基板と電気的に接続されている。サブ基板は、主基板と同様に、ＣＰＵ、ＲＡＭ、及びＲＯＭが設けられている。サブ基板は、主基板から送信されるコマンドに従って、演出に関する制御を行う。本例では、サブ基板は画像表示装置２８及びスピーカ４８等と連動して、可動役物３０を動作させる演出を実行可能である。
【００１７】
（２．可動役物３０の概略構造）
図３及び図４を参照して、可動役物３０の概略構造を説明する。図３の上側、下側、左下側、右上側、右下側、左上側を夫々、可動役物３０の上側、下側、左側、右側、前側、後側とする。本例の可動役物３０は、人体を模した演出用の部材であり、正面視で表示面２７の右側に配置される。遊技者はパチンコ機１の正面側から、表示面２７に表示される各種画像と、可動役物３０の演出動作とを同時に目視可能である。
【００１８】
可動役物３０は、可動機構４０と装飾カバー５０を備える。可動機構４０は、後述の第一動作部材１４０と第二動作部材２３０を動作させる機構である。装飾カバー５０は、第一動作部材１４０と第二動作部材２３０との夫々に連結する。従って、装飾カバー５０は、第一動作部材１４０と第二動作部材２３０の夫々の動きに連動（従動）して、動作可能である。
【００１９】
（３．装飾カバー５０の詳細構造）
装飾カバー５０は、可撓性を有するシート状の装飾物であり、本例では人体を模した形状で一体成型されたシート状のゴム製品（ラバー）であり、具体的にはエラストマーを用いて一体に成型加工されている。
【００２０】
本例の装飾カバー５０は、人体の頭部及び腕部を除いた左半身を模しており、首部５０Ａ、胸部５０Ｂ、腰部５０Ｃ、左太腿部５０Ｄを有する。首部５０Ａは、装飾カバー５０の上端に配置され、人体の首部を模した形状である。胸部５０Ｂは、首部５０Ａの下側に配置され、人体の胸部を模した形状である。胸部５０Ｂの正面視略中心には、前側に向かって丸みを帯びて張り出す張出部５０Ｆが設けられる。腰部５０Ｃは、胸部５０Ｂの下側に配置され、人体の腰部を模した形状である。胸部５０Ｂと腰部５０Ｃとを連結する装飾カバー５０の部位は、連動部５０Ｇである。連動部５０Ｇは、上下方向に沿って延び、且つ、前方に向けて滑らかに湾曲する。左太腿部５０Ｄは、腰部５０Ｃの下側に配置された、人体の左太腿部を模した形状である。
【００２１】
装飾カバー５０は、正面視で可動機構４０の全体を覆うように、可動機構４０の前面側に装着される。装飾カバー５０は全体として、その周縁部の厚みが相対的に大きく、その周縁部に囲まれた内側部分の厚みが相対的に小さく、張出部５０Ｆの厚みが最も小さい。装飾カバー５０は、その厚みが小さい部位ほど、外力に応じて弾性変形しやすい。従って、装飾カバー５０が後述の可動機構４０に連動して動作する場合、装飾カバー５０の内側部分は捻られるように動作しやすく、特に厚みの小さい張出部５０Ｆは外力に応じて変形及び振動しやすい。
【００２２】
可動機構４０は、第一動作部材１４０を動作させる上可動機構１００と、第二動作部材２３０を動作させる下可動機構２００とを有する。第一動作部材１４０は張出部５０Ｆに連結し、第二動作部材２３０は腰部５０Ｃに連結する。可動機構４０の詳細は、別途後述する。
【００２３】
装飾カバー５０（図３及び図４参照）のうち、胸部５０Ｂ、腰部５０Ｃ、及び連動部５０Ｇは、所定範囲に亘って連続して湾曲する部位（以下、湾曲部）である。湾曲部は、その湾曲した形状構造によって、本来の形状を保持する作用が相対的に大きい。従って湾曲部は、自然に弾性変形しにくく、本来の形状が保持されやすい。一方、首部５０Ａ及び左太腿部５０Ｄは、湾曲部よりも湾曲度が小さい部位（以下、平状部）である。平状部は、湾曲部よりも平面に近い形状構造を有するため、本来の形状を保持する作用が相対的に小さい（即ち、自然に弾性変形しやすい）。
【００２４】
本例の装飾カバー５０では、平状部（首部５０Ａ及び左太腿部５０Ｄ）の背面に、インサート成型によって形成されたインサート部材（図示略）が固着されているため、平状部の弾性変形が抑制されている。また装飾カバー５０は、全体として周縁部の厚みが相対的に大きい。更にインサート部材は、平状部の端辺（首部５０Ａの上端辺及び左太腿部５０Ｄの左端辺）に沿った状態で固着されている。即ち、装飾カバー５０のうちで弾性変形しやすい周縁部は、上記の構造によって自然に弾性変形することが抑制されている。
【００２５】
一般に、装飾カバー５０のように所定方向に長いシート状の弾性体は、本来の形状を保持する作用が相対的に小さいため、自然に弾性変形しやすい。これに対し、本例の装飾カバー５０は、上記の構造を有するため、全体として本来の形状を保持する作用が向上されている。従って装飾カバー５０は、全体として自然に弾性変形することが抑制され、良好な外観を保持することができる。
【００２６】
（４．上可動機構１００の詳細構造）
図４、及び図５〜図７を参照して、上可動機構１００の詳細構造を説明する。図４に示すように、上可動機構１００は、上基部１０１、上支持部１０２、首支持部１０３、上作動部１０４等を含む。上基部１０１は、上下方向に延びる板状である。上基部１０１の前面側に、上支持部１０２、首支持部１０３、上作動部１０４等が設けられる。上支持部１０２は、胸部５０Ｂの背面に面接触して支持する板状部材である。なお、上支持部１０２は、図４のみに図示され、他の図では省略されている。首支持部１０３は、首部５０Ａを可動支持する機構である。上作動部１０４は、胸部５０Ｂを可動支持しつつ、張出部５０Ｆを中心に胸部５０Ｂを動作させる機構である。
【００２７】
図５〜図７に示すように、首支持部１０３は、支持軸１１０、可動アーム１２０、巻バネ１２８等を含む。支持軸１１０は、上基部１０１の上端部前側に配置された十字状の部材であり、第一軸１１０Ａ及び第二軸１１０Ｂを有する。第一軸１１０Ａは、左右方向に延びる円柱状である。第一軸１１０Ａの左端部及び右端部は、上基部１０１から前方に延びる支持板１１１，１１２の各支持穴に夫々挿入される。これにより支持軸１１０は、第一軸１１０Ａを中心として（即ち、左右方向に延びる軸線を中心として）、回転可能に支持される。
【００２８】
第一軸１１０Ａの左右方向略中心には、第二軸１１０Ｂが設けられている。第二軸１１０Ｂは、第一軸１１０Ａの軸線と直交して延びる円柱状の部材であり、第一軸１１０Ａから径方向の両側に突出する。本例では、第二軸１１０Ｂの両端部が、第一軸１１０Ａの上側及び下側に突出する。
【００２９】
可動アーム１２０は、支持板１２１，１２２及び延設部１２３を含む。支持板１２１，１２２は、支持軸１１０を挟んで上下両側に対向配置され、且つ互いに連結された板状部材である。第二軸１１０Ｂの両端部は、支持板１２１，１２２の各支持穴に夫々挿入される。これにより可動アーム１２０は、第二軸１１０Ｂを中心として（即ち、左右方向と直交する軸線を中心として）、回転可能に支持される。
【００３０】
延設部１２３は、支持板１２１の上側から右前方に延びる部位である。支持板１２１には、連結フック１２４、連結穴１２５，１２６、及びバネ係止部１２７が設けられる。連結穴１２５は、延設部１２３の左後端に設けられる。連結穴１２６は、延設部１２３の右前端に設けられる。連結フック１２４は、連結穴１２５の右上側に設けられる。バネ係止部１２７は、連結穴１２６の右後側に設けられる。上基部１０１の右上端には、バネ係止部１１３が設けられる。巻バネ１２８の両端部は、バネ係止部１２７とバネ係止部１１３とに架け渡される。巻バネ１２８の弾性力によって、バネ係止部１２７はバネ係止部１１３に向けて付勢される。
【００３１】
上記の構造により、可動アーム１２０は正面視で、第一軸１１０Ａを中心として上下方向に回動可能であり、且つ第二軸１１０Ｂを中心として左右方向に回動可能である。巻バネ１２８の弾性力よりも大きい外力が可動アーム１２０に作用していない場合、可動アーム１２０は基準位置（図５〜図７参照）に保持される。詳細には、巻バネ１２８が前後方向に延びる位置まで収縮すると、上基部１０１に設けられた規制部（図示外）が、支持板１２１の後端部に対して左側及び下側から接触する。
【００３２】
これにより可動アーム１２０は、平面視で反時計回り方向に回転することが規制され、且つ左側面視で反時計回り方向に回転することが規制されて、基準位置に位置決めされる。尚、巻バネ１２８の弾性力よりも大きい外力が可動アーム１２０に作用した場合、可動アーム１２０はその外力に応じて基準位置よりも、正面視で左側及び下側の少なくとも一つに回動可能である。この場合、可動アーム１２０に作用する外力が消失すると、可動アーム１２０は巻バネ１２８の弾性力によって基準位置に復帰する。
【００３３】
図５〜図７に示すように、上作動部１０４は、支持軸１３０、第一動作部材１４０、連動部１５０，１５５、第一駆動モータ１６０、第二駆動モータ１７０、装着部１８０等を含む。支持軸１３０は、上基部１０１の前面側且つ首支持部１０３の下側に配置された十字状の部材であり、第一軸１３０Ａ及び第二軸１３０Ｂを有する。第一軸１３０Ａは、左右方向に延びる円柱状である。第一軸１３０Ａの左端部及び右端部は、上基部１０１から前方に延びる支持板１３１，１３２の各支持穴に夫々挿入される。これにより支持軸１３０は、第一軸１３０Ａを中心として（即ち、左右方向に延びる軸線を中心として）、回転可能に支持される。
【００３４】
第一軸１３０Ａの左右方向略中心には、第二軸１３０Ｂが設けられている。第二軸１３０Ｂは、第一軸１３０Ａの軸線と直交して延びる円柱状の部材であり、第一軸１３０Ａから径方向の両側に突出する。本例では、第二軸１３０Ｂの両端部が、第一軸１３０Ａの上側及び下側に突出する。
【００３５】
第一動作部材１４０は、支持板１４１，１４２、第一作用部１４３、第一溝部１４４（図１１参照）、延設部１４５、第二作用部１４６、第二溝部１４７、センサ設置部１４８等を含む。支持板１４１，１４２は、支持軸１３０を挟んで上下両側に対向配置され、且つ互いに連結された板状部材である。第二軸１３０Ｂの両端部は、支持板１４１，１４２の各支持穴に夫々挿入される。これにより第一動作部材１４０は、第二軸１３０Ｂを中心として（即ち、左右方向と直交する軸線を中心として）、回転可能に支持される。
【００３６】
第一作用部１４３は、支持板１４２の前側に設けられた、下方に開口する箱状である。第一溝部１４４は、第一作用部１４３の下面から下方に延びる周壁で囲まれた溝である（図１１参照）。第一溝部１４４は、第一作用部１４３の下方に露出し、且つ第二軸１３０Ｂの軸線と直交する方向（図１１の状態Ｔ１１では、前後方向）に延びる。即ち第一溝部１４４は、その長手方向の延長線が第二軸１３０Ｂの軸線と直交するように、第二軸１３０Ｂに向けて延びる。
【００３７】
延設部１４５は、第一作用部１４３の左側から前側下方に延びる部位である。第二作用部１４６は、延設部１４５の下端部に設けられる。第二溝部１４７は、第二作用部１４６を左右方向に貫通する溝である。第二溝部１４７は、第一軸１３０Ａの軸線と直交する方向（本例では前下方）に延びる。即ち第二溝部１４７は、その長手方向の延長線が第一軸１３０Ａの軸線と直交するように、第一軸１３０Ａに向けて延びる。センサ設置部１４８は、第一作用部１４３から右側に延びる部位である。
【００３８】
連動部１５０は、第二軸１３０Ｂの上端部から、支持板１４１に沿って前方に延びる板状部材である。連動部１５０の前端部は、支持板１４１の前側で下方に屈曲して、第一作用部１４３の上側に配置される。連動部１５０の前端部には、右方向に突出する第一検出板１５１が設けられる。センサ設置部１４８の上面には、第一検出板１５１を検出可能な透過型センサである第一センサ１５２が設けられる。第一センサ１５２は第一動作部材１４０と直接連結されているため、第一動作部材１４０の回転と共に第一センサ１５２も移動する。
【００３９】
連動部１５０の後端部は、第二軸１３０Ｂの上端部に固定されている。従って、第二軸１３０Ｂが第一軸１３０Ａの周方向に沿って回転すると（つまり、第一動作部材１４０が第一軸１３０Ａを中心に回転すると）、連動部１５０は第二軸１３０Ｂと共に回転する。一方、連動部１５０は第一動作部材１４０と直接連結されていない。従って、第一動作部材１４０が第二軸１３０Ｂを中心に回転しても、連動部１５０は回転しない。
【００４０】
第一駆動モータ１６０は、第一作用部１４３の後下側に設けられる。第一駆動モータ１６０の回転軸は、第一駆動モータ１６０の上側に設けられたギア１６１の回転中心に連結される。ギア１６１は、ギア１６１の前側且つ第一作用部１４３の下側に設けられたギア１６２に噛み合う。ギア１６２の回転中心を通る回転軸Ｃ１（図１１参照）は、上下方向に延びる第二軸１３０Ｂの軸線と平行である。
【００４１】
ギア１６２には、その上面から突出する円筒状の作用ピン１６３が設けられる。作用ピン１６３は、回転軸Ｃ１よりも径方向外側に設けられ、且つ回転軸Ｃ１と平行に延び、第一溝部１４４の短手方向長さよりも小径である。ギア１６２が回転軸Ｃ１を中心に回転した場合、作用ピン１６３は回転軸Ｃ１の周囲で円軌道を描くように回転する。作用ピン１６３の上端部は、第一溝部１４４（図１１参照）内に下方から挿入される。
【００４２】
連動部１５５は、第一軸１３０Ａの右端部から前側下方に延びる板状部材である。連動部１５５の下端部には、下方向に突出する第二検出板１５６が設けられる。第一駆動モータ１６０の右側には、第二検出板１５６を検出可能な透過型センサである第二センサ１５７が設けられる。連動部１５５の後端部は、第一軸１３０Ａの右端部に固定されている。従って、第一動作部材１４０が第一軸１３０Ａを中心に回転すると、連動部１５５は第一軸１３０Ａと共に回転する。一方、連動部１５５は第一動作部材１４０と直接連結されていない。従って、第一動作部材１４０が第二軸１３０Ｂを中心に回転しても、連動部１５５は回転しない。
【００４３】
第二駆動モータ１７０は、第二作用部１４６の右後下方に設けられる。第二駆動モータ１７０の回転軸は、第二駆動モータ１７０の左側に設けられたギア１７１の回転中心に連結される。ギア１７１は、ギア１７１の前方上側且つ第二作用部１４６の右側に設けられたギア１７２に噛み合う。ギア１７２の回転中心を通る回転軸Ｃ２（図１４参照）は、左右方向に延びる第一軸１３０Ａの軸線と平行である。
【００４４】
ギア１７２には、その左面から突出する円筒状の作用ピン１７３が設けられる。作用ピン１７３は、回転軸Ｃ２よりも径方向外側に設けられ、且つ回転軸Ｃ２と平行に延び、第二溝部１４７の短手方向長さよりも小径である。ギア１７２が回転軸Ｃ２を中心に回転した場合、作用ピン１７３は回転軸Ｃ２の周囲で円軌道を描くように回転する。作用ピン１７３の左端部は、第二溝部１４７内に右方から挿入される。
【００４５】
装着部１８０（図４参照）は、第二作用部１４６の前端部の左上側に設けられ、その前面側に後述の連結板１８１（図５参照）が固定される部材である。先述の上支持部１０２（図４参照）は、装着部１８０の右下側にある。上支持部１０２の右端部に、連結フック１８６が設けられる。第一駆動モータ１６０の後側に、連結フック１８５が設けられる。上基部１０１の下端部には、連結部１９１，１９２が左右に並んで設けられる。連結部１９１は、左下方に延びる部位である。連結部１９２は、連結部１９１の右側から前方に突出する部位である。
【００４６】
（５．下可動機構２００の詳細構造）
図８〜図１０を参照して、下可動機構２００の詳細構造を説明する。図８に示すように、下可動機構２００は、下基部２０１、下支持部２０２、下作動部２０３等を含む。下基部２０１は、上下方向に延びる板状である。下基部２０１の前面側に、下支持部２０２、下作動部２０３等が設けられる。
【００４７】
図８及び図９に示すように、下基部２０１は、支持板２１１、連結部２１２、支持柱２１３、及び支持部２１４を含む。支持板２１１は、下基部２０１の左半分を占め、且つ上下方向に延びる。連結部２１２は、下基部２０１の右上端部に設けられ、支持板２１１の右側から前方に延びる部位である。支持柱２１３は、連結部２１２の下側に設けられ、且つ連結部２１２よりも前方に延びる角筒状である。支持部２１４は、支持板２１１の下端部から前方に突出する板状である。
【００４８】
図８に示すように、下支持部２０２は、装飾カバー５０の下部に対応する形状を有する板状部材である。下支持部２０２の前面は、支持面２２０Ａ，２２０Ｂを含む。支持面２２０Ａは、腰部５０Ｃの下部の背面に面接触して支持する。支持面２２０Ｂは、支持面２２０Ａの左下部から左下方に延び、左太腿部５０Ｄの背面に面接触して支持する。
【００４９】
下支持部２０２における支持面２２０Ａの下端部中央には、後方に凹む凹部２２１が設けられる。凹部２２１の内部に、連結フック２２２が設けられる。下支持部２０２の左上後方の端部には、連結穴２２３が設けられる。下支持部２０２における支持面２２０Ａの左側且つ支持面２２０Ｂの上側には、後方に凹む凹部２２４が設けられる。凹部２２４には、連結穴２２５が設けられる。下支持部２０２における凹部２２４の上側には、後方に凹む凹部２２７が設けられる。下支持部２０２における支持面２２０Ａの右端部には、後方に凹む凹部２２８，２２９が上下方向に並んで設けられる。凹部２２７〜２２９の各々には、図示外の連結穴が設けられる。
【００５０】
図９及び図１０に示すように、下作動部２０３は、下支持部２０２を可動支持しつつ動作させる機構である。下作動部２０３は、下基部２０１と下支持部２０２との間に設けられ、第二動作部材２３０、固定板２４０、作用板２５０、巻バネ２６０、第三駆動モータ２７０等を含む。第二動作部材２３０は、支持柱２３１〜２３５，延設部２３６、バネ受部２３７、及び一対の係止部２３８を含む。
【００５１】
支持柱２３１は、第二動作部材２３０の右端部に設けられた、上下方向に延びる柱状体である。支持柱２３２は、支持柱２３１の上端部から、若干上側に傾斜するように左後方に延びる柱状体である。支持柱２３３は、支持柱２３１の下端部から、支持柱２３２と並んで延びる柱状体である。支持柱２３５は、支持柱２３３の後端部から支持柱２３２の後端部に向かって、若干右側に傾斜するように上方に延びる柱状体である。支持柱２３４は、支持柱２３１と支持柱２３５との間に設けられ、且つ支持柱２３２と支持柱２３３とに架設される。支持柱２３４は、若干右側に傾斜するように上方に延びる円柱状である。
【００５２】
延設部２３６は、支持柱２３５の下部から、若干上側に傾斜するように左方に延びる板状である。バネ受部２３７は、延設部２３６において前方に凹み、且つ後方に開口する有底円筒状の部位である。一対の係止部２３８は、支持柱２３５の右面側に上下方向に並んで設けられた、前方に突出する突出片である。上側の係止部２３８は、支持柱２３２の下面に沿って前方に突出する。下側の係止部２３８は、支持柱２３３の上面に沿って前方に突出する。先述の下支持部２０２（図８参照）は、各凹部２２７〜２２９の連結穴を介して、支持柱２３１の前面及びバネ受部２３７の前側にネジ止めされる。
【００５３】
支持柱２３４は、その上下両端部に軸受２４５が夫々装着された状態で、固定板２４０によって支持柱２１３の前面に固定される。支持柱２３４が各軸受２４５によって回転自在に支持されるため、第二動作部材２３０は支持柱２３４を中心に回転可能である。即ち、第二動作部材２３０は、第一動作部材１４０とは独立して回転動作可能である。固定板２４０の左端辺は、後方に向かって突出し、その後端に係止面２４１が設けられる。係止面２４１は、一対の係止部２３８に対して前側から対向する。
【００５４】
作用板２５０は、バネ受部２３７の左下側に固定された板状部材である。作用板２５０の前面下部には、作用面２５１が設けられる。作用面２５１は、バネ受部２３７の下側で略左右方向に延び、且つ前側を向く。作用板２５０から下方に延びる柱状体の下端部に、第三検出板２５２が設けられる。支持部２１４上の左端部には、第三検出板２５２を検出可能な透過型センサである第三センサ２５３が設けられる。
【００５５】
支持板２１１には、前方に突出する周壁で囲まれたバネ受部２１５が設けられる。バネ受部２１５は、バネ受部２３７と対向する位置に設けられた、前方に開口する有底円筒状の部位である。巻バネ２６０は、バネ受部２１５とバネ受部２３７との間に、圧縮された状態で配置される。詳細には、巻バネ２６０の前端部は、バネ受部２３７内に後方から収容される。巻バネ２６０の後端部は、バネ受部２１５内に前方から収容される。巻バネ２６０の弾性力によって、バネ受部２３７はバネ受部２１５とは反対側である前側に向けて付勢される。
【００５６】
巻バネ２６０の弾性力よりも大きい外力が第二動作部材２３０に作用していない場合、第二動作部材２３０は進出位置（後述の図１７、図１８参照）に保持される。詳細には、第二動作部材２３０は、支持柱２３４の軸線方向上側から見て、巻バネ２６０の弾性力に応じて支持柱２３４を中心に反時計回り方向に回転する。これに伴って、一対の係止部２３８が前側に移動すると、係止面２４１に接触する。
【００５７】
これにより第二動作部材２３０は、支持柱２３４の軸線方向上側から見て反時計回り方向に回転することが規制されて、進出位置に位置決めされる。尚、巻バネ２６０の弾性力よりも大きい外力が第二動作部材２３０に作用した場合、第二動作部材２３０はその外力に応じて進出位置よりも、支持柱２３４の軸線方向上側から見て時計回り方向に回転可能である。この場合、第二動作部材２３０は、可動範囲の後端である後退位置に位置する（図１６の状態Ｔ３１）。
【００５８】
第三駆動モータ２７０は、支持部２１４におけるバネ受部２１５の下側に設けられる。第三駆動モータ２７０の回転軸は、第三駆動モータ２７０の右上側に設けられたギア２７１の回転中心に連結される。ギア２７１は、ギア２７１の左前側に設けられたギア２７２に噛み合う。ギア２７２の回転中心を通る回転軸Ｃ３（図１６参照）は、若干右側に傾斜するように上方に延びるため、支持柱２３４の軸線と平行である。
【００５９】
ギア２７２には、その上面から突出する円筒状の作用ピン２７３が設けられる。作用ピン２７３は、回転軸Ｃ３よりも径方向外側に設けられ、且つ作用面２５１と同じ高さ位置まで、回転軸Ｃ３と平行に延びる。ギア２７２が回転軸Ｃ３を中心に回転した場合、作用ピン２７３は回転軸Ｃ３の周囲で円軌道を描くように回転する。作用面２５１は、作用ピン１７３の回転軌跡の範囲内にある。
【００６０】
（６．可動役物３０の組み付け構造）
図３及び図４を参照して、可動役物３０の組み付け構造を説明する。先述の連結部１９１，１９２（図５〜図７参照）は、支持板２１１及び連結部２１２（図８、図９参照）の各上端部に前側から重ね合わされた状態で、ネジ止めで夫々固定される。これにより、上可動機構１００及び下可動機構２００が上下方向に並んで連結され、可動機構４０が一体に構成される。
【００６１】
装飾カバー５０は、可動機構４０の前面側から装着される。連結穴１２５，１２６に夫々挿入されたネジが首部５０Ａに螺合されることで、首部５０Ａは首支持部１０３の前側に固定される。連結穴２２３，２２５に夫々挿入されたネジが、左太腿部５０Ｄに螺合されることで、腰部５０Ｃの下部、及び左太腿部５０Ｄは、下支持部２０２の前側に固定される。
【００６２】
胸部５０Ｂのうちで張出部５０Ｆの右下側にある部分が、上支持部１０２によって背面側から支持される。装着部１８０は、インサート部材の背面側に配置される。連結板１８１（図５参照）は、連結穴５４内で露出する穴３３１に対して前側から配置された状態で、インサート部材の背面側にある装着部１８０にネジ止めされる。これにより、インサート部材が装着部１８０と連結板１８１との間で挟持されるので、張出部５０Ｆが装着部１８０に連結されると共に、胸部５０Ｂが上作動部１０４の前側に固定される。
【００６３】
（７．上可動機構１００の動作説明）
図５及び図１１〜図１５を参照して、上可動機構１００の動作態様を説明する。図１１は、平面視で上作動部１０４を模式的に示した状態遷移図であり、ギア１６２の回転方向を二点鎖線で示す。図１４は、左側面視で上作動部１０４を模式的に示した状態遷移図であり、ギア１７２の回転方向を二点鎖線で示す。
【００６４】
上作動部１０４が第一動作部材１４０を左右方向に揺動させる動作を説明する。図１１の状態Ｔ１１に示すように、作用ピン１６３が回転軸Ｃ１の後方にある場合、作用ピン１６３は前後方向に延びる第一溝部１４４の後端近傍に配置される。このとき、図５に示すように、第一動作部材１４０は第一軸１３０Ａの軸線と直交に延びる姿勢にある。第一センサ１５２は、第一検出板１５１を検出する位置にある。この状態を、第一動作部材１４０の左右基準位置という。第一駆動モータ１６０がギア１６１（図６参照）を平面視で時計回り方向に回転させた場合、ギア１６２は平面視で反時計回り方向に回転する。これに伴って作用ピン１６３も、回転軸Ｃ１を中心に反時計回り方向に回転して、第一溝部１４４の周壁（即ち、第一溝部１４４の内面）に接触して付勢する。
【００６５】
図１１の状態Ｔ１２に示すように、作用ピン１６３が回転軸Ｃ１の後方から反時計回り方向に９０度回転すると、作用ピン１６３は第一溝部１４４の周壁に対して摺動しながら、回転軸Ｃ１の左方まで移動する。回転する作用ピン１６３の付勢力によって、第一溝部１４４が左側に移動する。第一動作部材１４０は、第二軸１３０Ｂを中心として平面視で時計回り方向に回動する。尚、第一センサ１５２は第一動作部材１４０と共に移動する一方、連動部１５０に設けられた第一検出板１５１の位置は変化しない。その結果、作用ピン１６３は、左前方に延びる第一溝部１４４内の長手方向中央部に配置される。図１２に示すように、第一動作部材１４０は左右基準位置よりも左側に傾斜する。第一センサ１５２は、図５に示す位置よりも左側に移動するが、第一検出板１５１を検出する位置にある。
【００６６】
図示しないが、作用ピン１６３が回転軸Ｃ１の左方から反時計回り方向に９０度回転すると、作用ピン１６３は第一溝部１４４の周壁に対して摺動しながら、回転軸Ｃ１の前方まで移動する。回転する作用ピン１６３の付勢力によって、第一溝部１４４が右側に移動する。第一動作部材１４０は、第二軸１３０Ｂを中心として平面視で反時計回り方向に回動する。その結果、作用ピン１６３は、前後方向に延びる第一溝部１４４の前端近傍に配置される。図５に示すように、第一動作部材１４０は左右基準位置に戻る。
【００６７】
図１１の状態Ｔ１３に示すように、作用ピン１６３が回転軸Ｃ１の前方から反時計回り方向に９０度回転すると、作用ピン１６３は第一溝部１４４の周壁に対して摺動しながら、回転軸Ｃ１の右方まで移動する。回転する作用ピン１６３の付勢力によって、第一溝部１４４が右側に移動する。第一動作部材１４０は、第二軸１３０Ｂを中心として平面視で時計回り方向に回動する。その結果、作用ピン１６３は、右前方に延びる第一溝部１４４内の長手方向中央部に配置される。図１３に示すように、第一動作部材１４０は左右基準位置よりも右側に傾斜する。第一センサ１５２は、図５に示す位置よりも右側に移動して、第一検出板１５１を検出しない位置に配置される。
【００６８】
図示しないが、作用ピン１６３が回転軸Ｃ１の右方から反時計回り方向に９０度回転すると、作用ピン１６３は第一溝部１４４の周壁に対して摺動しながら、回転軸Ｃ１の後方まで移動する。回転する作用ピン１６３の付勢力によって、第一溝部１４４が左側に移動する。第一動作部材１４０は、第二軸１３０Ｂを中心として平面視で時計回り方向に回動する。その結果、上作動部１０４は状態Ｔ１１に戻る。図５に示すように、第一動作部材１４０は左右基準位置に戻る。
【００６９】
上作動部１０４が第一動作部材１４０を上下方向に揺動させる動作を説明する。図１４の状態Ｔ２１に示すように、作用ピン１７３が回転軸Ｃ２の上方にある場合、作用ピン１７３は第二溝部１４７の上後端近傍に配置される。このとき、図５に示すように、第一動作部材１４０に連結された第二軸１３０Ｂの軸線が上下方向に延びる状態にある。第二検出板１５６は、第二センサ１５７によって検出される位置にある。この状態を、第一動作部材１４０の上下基準位置という。第二駆動モータ１７０がギア１７１を左側面視で時計回り方向に回転させた場合、ギア１７２は左側面視で反時計回り方向に回転する。これに伴って作用ピン１７３も、回転軸Ｃ２を中心に反時計回り方向に回転して、第二溝部１４７の周壁（即ち、第二溝部１４７の内面）に接触して付勢する。
【００７０】
図１４の状態Ｔ２２に示すように、作用ピン１７３が回転軸Ｃ２の上方から反時計回り方向に１８０度回転すると、作用ピン１７３は第二溝部１４７の周壁に対して摺動しながら、回転軸Ｃ２の下方まで移動する。回転する作用ピン１７３の付勢力によって、第二溝部１４７が下側に移動する。第一動作部材１４０は、第一軸１３０Ａを中心として左側面視で時計回り方向に回動する。尚、連動部１５５に設けられた第二検出板１５６は第一動作部材１４０と共に移動する一方、第二センサ１５７の位置は変化しない。その結果、作用ピン１７３は、第二溝部１４７の下前端近傍に配置される。図１５に示すように、第一動作部材１４０は上下基準位置よりも下側に傾斜する。第二検出板１５６は、図５に示す位置よりも下側に移動して、第二センサ１５７によって検出されない位置に配置される。
【００７１】
図示しないが、作用ピン１７３が回転軸Ｃ２の下方から反時計回り方向に１８０度回転すると、作用ピン１７３は第二溝部１４７の周壁に沿って回転軸Ｃ２の上方まで移動する。回転する作用ピン１７３の付勢力によって、第二溝部１４７が上側に移動する。第一動作部材１４０は、第一軸１３０Ａを中心として左側面視で反時計回り方向に回動する。その結果、上作動部１０４は状態Ｔ２１に戻る。図５に示すように、第一動作部材１４０は上下基準位置に戻る。
【００７２】
このように、上作動部１０４は、第一駆動モータ１６０の駆動に応じて第一動作部材１４０を左右方向に揺動でき、且つ第二駆動モータ１７０の駆動に応じて第一動作部材１４０を上下方向に揺動できる。第一駆動モータ１６０が作用ピン１６３を平面視で時計回り方向に回転させた場合も、図１１と同様の態様で第一動作部材１４０が左右方向に揺動する。第二駆動モータ１７０が作用ピン１７３を左側面視で時計回り方向に回転させた場合も、図１４と同様の態様で第一動作部材１４０が上下方向に揺動する。
【００７３】
先述したように、第一動作部材１４０は、装着部１８０（図４参照）を介して、装飾カバー５０の張出部５０Ｆ（図３参照）に連結されている。従って、サブ基板のＣＰＵ（図示外）は、第一駆動モータ１６０及び第二駆動モータ１７０を駆動制御することで、装飾カバー５０の各種動作を実行できる。
【００７４】
具体的には、サブ基板のＣＰＵは、作用ピン１６３の回転位置を制御することで張出部５０Ｆの左右方向位置を調整でき、且つ作用ピン１７３の回転位置を制御することで張出部５０Ｆの上下方向位置を調整できる。詳細には、サブ基板のＣＰＵは、第一センサ１５２による第一検出板１５１の検出状態に応じて、第一動作部材１４０の左右基準位置を基準として、張出部５０Ｆの左右方向位置を正確に調整できる。サブ基板のＣＰＵは、第二センサ１５７による第二検出板１５６の検出状態に応じて、第一動作部材１４０の上下基準位置を基準として、張出部５０Ｆの上下方向位置を正確に調整できる。
【００７５】
即ちサブ基板のＣＰＵは、作用ピン１６３及び作用ピン１７３の各回転位置を制御することで、張出部５０Ｆを介して胸部５０Ｂの三次元位置を調整できる。本例では、サブ基板のＣＰＵは、通常時、第一動作部材１４０を左右基準位置及び上下基準位置に位置決めすることで、胸部５０Ｂをその初期位置（図３参照）に保持する。
【００７６】
例えば可動役物３０の演出動作時に、サブ基板のＣＰＵは、作用ピン１６３を連続して回転させる。これにより、第一動作部材１４０が左右方向に往復揺動するため、張出部５０Ｆを中心として胸部５０Ｂを左右方向に往復揺動できる。またサブ基板のＣＰＵは、作用ピン１７３を連続して回転させる。これにより、第一動作部材１４０が上下方向に往復揺動するため、張出部５０Ｆを中心として胸部５０Ｂを上下方向に往復揺動できる。更にサブ基板のＣＰＵは、作用ピン１６３及び作用ピン１７３を連続して回転させる。これにより、第一動作部材１４０は左右基準位置及び上下基準位置を中心として周方向に揺動するため、胸部５０Ｂは、張出部５０Ｆに連動（従動）して、張出部５０Ｆを中心として正面視で周方向に揺動できる。胸部５０Ｂは揺動に応じて変形する。
【００７７】
胸部５０Ｂが揺動又は変形されるのに伴って、胸部５０Ｂが首部５０Ａ（図３参照）から離れる方向に移動すると、巻バネ１２８（図６参照）の弾性力よりも大きな張力が、首部５０Ａに付与される場合がある。この場合、首部５０Ａに付与された張力によって巻バネ１２８が伸長し、可動アーム１２０が基準位置から張力の作用する方向に移動する。首部５０Ａは、胸部５０Ｂに連動して、動作する。首部５０Ａに付与される張力が緩衝されるため、装飾カバー５０の破損や損傷を抑制できる。更に、首部５０Ａが胸部５０Ｂの動きと連動することで、可動役物３０はより人体の動作に近い演出を実現できる。尚、本実施形態では、首部５０Ａに加えて連動部５０Ｇが、胸部５０Ｂの揺動又は変形に連動して（従動して）動作する。
【００７８】
（８．下可動機構２００の動作説明）
図１６〜図１８を参照して、下可動機構２００の動作態様を説明する。図１６は、支持柱２３４の軸線方向上側から見た、下作動部２０３を模式的に示した状態遷移図であり、ギア２７２の回転方向を二点鎖線で示す。下可動機構２００は第一動作と第二動作を実行する。下可動機構２００が第一動作、第二動作を開始する場合、第二動作部材２３０は後退位置にある（図１６、図１９の状態Ｔ３１）。第一動作では、第二動作部材２３０が、巻バネ２６０の付勢力によって、後退位置から進出位置に瞬時に移動する（図１６の状態Ｔ３１、Ｔ３２）。一方、第二動作では、第二動作部材２３０が、作用ピン２７３の回転に伴って、後退位置から進出位置に徐々に移動する（図１９の状態Ｔ３１、Ｔ３４）。
【００７９】
下可動機構２００の第一動作を説明する。図１６の状態Ｔ３１で示すように、支持柱２３４の軸線方向上側から見て、第三駆動モータ２７０がギア２７１を反時計回り方向に回転させた場合、ギア２７２は時計回り方向に回転する。作用ピン２７３は、平面視で時計回りに回転する。作用ピン２７３が作用面２５１から右側に離隔した瞬間、第二動作部材２３０は、巻バネ２６０の付勢力によって進出位置に瞬時に到達する（状態Ｔ３２）。このとき、第三検出板２５２は、第三センサ２５３の検出領域から退出する。
【００８０】
第三駆動モータ２７０は継続して回転駆動し、作用ピン２７３は、作用面２５１の左右方向の中央部に接触する（状態Ｔ３３）。作用ピン２７３は、作用面２５１を後方に押圧しながら、作用面２５１に沿って右側に摺動する。第二動作部材２３０は、巻バネ２６０の弾性力に抗って平面視で時計回りに回転し、後退位置に到達する（状態Ｔ３１）。第三センサ２５３は第三検出板２５２を検出する。作用ピン２７３は、平面視で時計回りに継続して回転する。下可動機構２００が第一動作を実行する間、第二動作部材２３０は上記動作を繰り返す。
【００８１】
図１９を参照し、下可動機構２００の第二動作を説明する。尚、下可動機構２００の第一動作と重複する動作については、簡略化して説明する。第三駆動モータ２７０は、第一動作時とは反対方向に回転駆動する。作用ピン２７３は平面視で反時計回りに回転する。巻バネ２６０によって付勢される第二動作部材２３０は、作用面２５１と作用ピン２７３との接触を維持しながら、平面視で反時計回りに回転する。つまり、第二動作部材２３０は、作用ピン２７３の回転に伴って、回転する。
【００８２】
第二動作部材２３０が進出位置に到達すると（状態Ｔ３４）、第三センサ２５３は第三検出板２５２を検出しなくなる。作用ピン２７３が、作用面２５１よりも前側となる回転位置まで回転すると（状態Ｔ３５）、第三駆動モータ２７０は回転駆動する方向を切り替える。作用ピン２７３は、平面視で反時計回に回転し、作用面２５１に接触する（状態Ｔ３４）。作用ピン２７３は、作用面２５１を後方に押圧しながら、作用面２５１に対して右側へ摺動する。第二動作部材２３０は、進出位置（状態Ｔ３４）から、後退位置（状態Ｔ３１）まで戻る。その後、第三駆動モータ２７０は、回転駆動する方向を再び切り替える。下可動機構２００が第二動作を実行する間、第二動作部材２３０は上記動作を繰り返す。
【００８３】
上記の下可動機構２００の第一動作及び第二動作のように、下作動部２０３は、第三駆動モータ２７０の駆動に応じて、第二動作部材２３０を揺動できる。先述したように、下作動部２０３に固定された下支持部２０２は、装飾カバー５０の腰部５０Ｃ（図３参照）に連結されている。従って、サブ基板のＣＰＵは、第三駆動モータ２７０を駆動制御することで、下支持部２０２を介して装飾カバー５０の各種動作を実行できる。
【００８４】
具体的には、サブ基板のＣＰＵは、作用ピン２７３の回転位置を制御することで、腰部５０Ｃを位置調整できる。詳細には、サブ基板のＣＰＵは、第三センサ２５３による第三検出板２５２の検出状態に応じて、第二動作部材２３０の後退位置を基準として、腰部５０Ｃを正確に位置調整できる。本例では、サブ基板のＣＰＵは、通常時、第二動作部材２３０を後退位置（図８、図９参照）に位置決めすることで、腰部５０Ｃをその初期位置（図３参照）に保持する。
【００８５】
第一動作では、作用ピン２７３が作用面２５１から右側に離隔した時点で、第二動作部材２３０は巻バネ２６０の弾性力によって瞬時に変位するため、腰部５０Ｃが高速で揺動する。一方、第二動作では、作用ピン２７３が平面視で反時計回りに回転することに伴い、第二動作部材２３０は後退位置から進出位置に徐々に変位するため、腰部５０Ｃが定速で揺動する。これにより、腰部５０Ｃが素早く捻られる演出動作と、腰部５０Ｃがゆっくり捻られる演出動作とを実現できる。
【００８６】
尚、サブ基板のＣＰＵは、作用ピン２７３が作用面２５１に接触する範囲のみで、作用ピン２７３を往復回動させてもよい。この場合、作用ピン２７３が作用面２５１に対して左右方向に摺動するため、下支持部２０２が往復揺動する。これにより、腰部５０Ｃを自然な動作で往復揺動する演出動作を実現できる。従って、可動役物３０はより人体の動作に近い演出を実現できる。
【００８７】
（９．演出動作）
図６、図８、図１６、及び図１９〜図２３を参照し、可動機構４０による演出動作を説明する。可動機構４０の演出動作は、制御部（図示略）によって実行される。具体的には、主基板のＣＰＵから所定のコマンドを受信したサブ基板のＣＰＵが、直接又は間接的に、可動機構４０に対して動作コマンドを送信することによって、可動機構４０は演出動作を実行する。可動機構４０の演出動作前、第一動作部材１４０は左右基準位置且つ上下基準位置にあり、第二動作部材２３０は後退位置にある。
【００８８】
本実施形態では、制御部は、第一上駆動処理、第二上駆動処理、第一動作処理、及び第二動作処理を実行する。第一上駆動処理は、下可動機構２００の第二動作部材２３０を後退位置で停止させて、上可動機構１００を動作させる処理である。第二上駆動処理は、下可動機構２００の第二動作部材２３０を進出位置で停止させて、上可動機構１００を動作させる処理である。第一動作処理は、下可動機構２００に第一動作をさせながら、上可動機構１００を動作させる処理である。第二動作処理は、下可動機構２００に第二動作をさせながら、上可動機構１００を動作させる処理である。第一上駆動処理、第二上駆動処理、第一動作処理、及び第二動作処理は、例えば、パチンコ機１のリーチ演出、大当たり報知演出等の各種演出に伴って実行される。以下、各処理における装飾カバー５０の動作の詳細を説明する。
【００８９】
図６、図９、及び図２０を参照し、第一上駆動処理を説明する。制御部は、第一駆動モータ１６０及び第二駆動モータ１７０を駆動制御すると共に、第三駆動モータ２７０の停止状態を維持する。第一動作部材１４０（図６参照）は、第一駆動モータ１６０の駆動によって左右方向に往復揺動し、且つ、第二駆動モータ１７０の駆動によって上下方向に往復揺動する。制御部が第一駆動モータ１６０と第二駆動モータ１７０とを同期駆動することで、第一動作部材１４０は、正面視で、例えば時計回りに回転する。第一動作部材１４０は、上支持部１０２を介して、張出部５０Ｆを正面視で時計回りに回転させる。よって、胸部５０Ｂは、張出部５０Ｆによって、正面視で時計回り（図２０の矢印Ｄ１）に回転する。尚、胸部５０Ｂの回転に伴って、首部５０Ａも動作する。
【００９０】
連動部５０Ｇの上部は、胸部５０Ｂの回転動作に連動して、揺動動作をする。より詳細には、第一動作部材１４０が、左右基準位置且つ上下基準位置よりも右上側へ変位する場合、連動部５０Ｇの上部は、胸部５０Ｂに引っ張られて伸びる（矢印Ｄ２）。一方、第一動作部材１４０が左右基準位置且つ上下基準位置よりも左下側へ変位する場合、連動部５０Ｇの上部は縮む（矢印Ｄ３）。連動部５０Ｇは、第一動作部材１４０の動作に連動して、上記の動作を繰り返す。
【００９１】
連動部５０Ｇの上部が縮む場合（矢印Ｄ３）、連動部５０Ｇは左下方に向けて付勢される。結果、第二動作部材２３０（図９参照）は、後側に付勢されるが、後退位置にあるので変位しない。また、連動部５０Ｇの上部が伸びる場合（矢印Ｄ２）、連動部５０Ｇが右上方に向けて付勢される。結果、第二動作部材２３０は前側に付勢されるが、作用ピン２７３（図９参照）によって前側への移動を規制される。故に、第一上駆動処理では、胸部５０Ｂは動作する一方、腰部５０Ｃは動作しない。従って、連動部５０Ｇの下部と左太腿部５０Ｄも、動作しない。以上のように、第一上駆動処理では、連動部５０Ｇの上部は胸部５０Ｂに連動して動作する一方、連動部５０Ｇの下部は動作しない。
【００９２】
第一上駆動処理が開始されてから所定時間が経過した後、制御部は、第一センサ１５２と第二センサ１５７の夫々の検出結果に基づいて、第一動作部材１４０を左右基準位置且つ上下基準位置にて停止する。第一上駆動処理は終了する。
【００９３】
図６、図９、図１６、及び図２１を参照し、第二上駆動処理を説明する。制御部は、第一駆動モータ１６０及び第二駆動モータ１７０の停止状態を維持して、第三駆動モータ２７０を駆動する。第三駆動モータ２７０の駆動により、下可動機構２００は例えば第一動作を実行する。図１６に示すように、作用ピン２７３が作用面２５１から離隔すると、第二動作部材２３０は、後退位置から進出位置に瞬時に移動する（状態Ｔ３２）。このとき、第三検出板２５２は、第三センサ２５３の検出領域から退出する。第二動作部材２３０の変位に伴い、腰部５０Ｃは前側に変位する（図２１参照）。腰部５０Ｃに連動して、連動部５０Ｇの下部と左太腿部５０Ｄは前側に変位する（図２１参照）。
【００９４】
制御部は、例えば第二動作部材２３０が進出位置まで移動した直後に、第三駆動モータ２７０を駆動停止する。作用ピン２７３は、図１６の状態Ｔ３２で示す位置にて停止する。制御部は、第三駆動モータ２７０の停止状態を維持して、第一駆動モータ１６０と第二駆動モータ１７０を駆動制御する。制御部は、第一駆動モータ１６０と第二駆動モータ１７０に対して、上述した第一上駆動処理と同様の駆動制御を実行する。胸部５０Ｂは、張出部５０Ｆを中心に正面視で時計回りに回転する（図２１の矢印Ｄ１）。連動部５０Ｇの上部が、胸部５０Ｂの動作に伴って引き伸ばされると（図２１の矢印Ｄ２）、第二動作部材２３０は前側へ付勢される（図１６の矢印Ｓ１）。しかしながら、進出位置にある第二動作部材２３０が、平面視で反時計回りへの回転が規制されているので、腰部５０Ｃは前側に変位しない。従って、連動部５０Ｇの下部と左太腿部５０Ｄも前側に変位しない。
【００９５】
一方、連動部５０Ｇの上部が縮むと（図２１の矢印Ｄ３）、第二動作部材２３０は後側へ付勢されて変位する。一対の係止部２３８（図９参照）が係止面２４１（図９参照）から瞬間的に離隔するように、第二動作部材２３０は後方に回転する。その直後、第二動作部材２３０は巻バネ２６０の付勢力によって進出位置に復帰する。従って、連動部５０Ｇの上部の動作に連動して、腰部５０Ｃは、前後方向に細かく振動する（図２１の矢印Ｆ１）。腰部５０Ｃに連動して、連動部５０Ｇの下部、及び左太腿部５０Ｄは、いずれも前後方向に細かく振動する（矢印Ｆ１）。故に、連動部５０Ｇの上部は胸部５０Ｂの回転動作に連動して伸縮し、さらに、腰部５０Ｃ、連動部５０Ｇの下部、及び左太腿部５０Ｄは、いずれも前後方向に細かく振動する。
【００９６】
第二上駆動処理が開始されてから所定時間が経過した後、制御部は、第一動作部材１４０を左右基準位置且つ上下基準位置にて停止する。その後、制御部は、第三駆動モータ２７０を駆動制御して、作用ピン２７３を平面視で時計回りに回転させる。第三検出板２５２が、第三センサ２５３の検出領域に進入したとき、制御部は第三駆動モータ２７０を駆動停止する。第二動作部材２３０は後退位置まで戻る（図１６の状態Ｔ３１）。制御部は第三駆動モータ２７０を駆動停止する。
【００９７】
図６、図９、図１６、図２２〜図２４を参照し、第一動作処理を説明する。制御部は、第一駆動モータ１６０と第二駆動モータ１７０に対して、上述した第一上駆動処理と同様の駆動制御を実行する。胸部５０Ｂは、張出部５０Ｆを中心に正面視で時計回りに回転する（図２２の矢印Ｅ１）。連動部５０Ｇの上部は、縮む動作（図２２の矢印Ｅ３）と伸張する動作（図２２の矢印Ｅ２）を繰り返す。
【００９８】
制御部は第三駆動モータ２７０を駆動制御する。作用ピン２７３が作用面２５１から離隔すると（図１６の状態Ｔ３２）、第二動作部材２３０は、後退位置から進出位置に瞬時に移動する（図２３参照）。腰部５０Ｃ、連動部５０Ｇの下部、及び左太腿部５０Ｄは、第二上駆動処理の開始時と同様、前側に変位する（図２３参照）。
【００９９】
第二動作部材２３０が進出位置に到達してから作用ピン２７３が作用面２５１に接触するまでの間（即ち、図１６の状態Ｔ３２から状態Ｔ３３への遷移中）は、第二上駆動処理と同様である。つまり、連動部５０Ｇの上部は胸部５０Ｂの回転動作に連動して伸縮し（図２３の矢印Ｅ２，Ｅ３）、さらに、腰部５０Ｃ、連動部５０Ｇの下部、及び左太腿部５０Ｄは、いずれも前後方向に細かく振動する（図２３の矢印Ｆ５）。
【０１００】
図１６、図２４を参照し、第二動作部材２３０が進出位置から後退位置に向けて移動する間（即ち、図１６の状態Ｔ３３から状態Ｔ３１への遷移中）を説明する。作用ピン２７３が作用面２５１に接触した後、第二動作部材２３０は、作用ピン２７３の回転によって、進出位置から後退位置に向けて徐々に回転する。腰部５０Ｃは徐々に後方に変位し、連動部５０Ｇの下部と左太腿部５０Ｄも、腰部５０Ｃに連動して徐々に変位する。連動部５０Ｇの上部が縮むと（図２４の矢印Ｅ３）、第二動作部材２３０は後方に付勢される（図１６の矢印Ｓ３）。第二動作部材２３０は、作用面２５１が作用ピン２７３から瞬間的に離隔するような回転をする。従って、第二動作部材２３０が後退位置に向けて移動する過程でも、腰部５０Ｃ、連動部５０Ｇの下部、左太腿部５０Ｄは、細かく前後方向に振動する（図２４の矢印Ｆ５）。
【０１０１】
従って、腰部５０Ｃは、連動部５０Ｇの上部の伸縮に伴う細かな振動と、作用ピン２７３の回転に伴う前後方向の変位を同じタイミングで実行する。よって、装飾カバー５０の動きはより複雑になり、パチンコ機１は、装飾カバー５０を動作させることによる演出効果を向上できる。
【０１０２】
第一動作処理が開始されてから所定時間が経過した後、制御部は、第一動作部材１４０を左右基準位置且つ上下基準位置にて停止する。略同じタイミングで、制御部は、第三センサ２５３の検出結果に基づいて、第二動作部材２３０を後退位置にて停止する。制御部は、第一動作処理を終了する。
【０１０３】
図６、図９、図１９、図２２〜図２４を参照し、第二動作処理を説明する。第二動作処理においても、第一動作処理の同様、胸部５０Ｂは正面視で時計回りに回転し（図２２の矢印Ｅ１）、連動部５０Ｇの上部は伸縮する（図２２の矢印Ｅ２，Ｅ３）。
【０１０４】
第二動作部材２３０が、作用ピン２７３の回転に伴って、後退位置から進出位置へ向けて徐々に移動する。また、連動部５０Ｇの下部と、左太腿部５０Ｄも、腰部５０Ｃに連動して、前方に徐々に変位する（図２４参照）。この間、連動部５０Ｇの伸縮動作によって、第二動作部材２３０は後方に付勢される（図１９の矢印Ｓ５）。これにより、腰部５０Ｃ、連動部５０Ｇの下部、及び左太腿部５０Ｄは、前後方向に細かく振動する（図２４の矢印Ｆ５）。その後、第二動作部材２３０が進出位置に到達し（図２３参照）、腰部５０Ｃ、連動部５０Ｇの下部、左太腿部５０Ｄは、前方に向けた変位を停止する一方、前後方向の振動を継続する（図２３の矢印Ｆ５）。第二動作部材２３０が進出位置から後退位置に移動する過程は、第一動作処理と同様なので、説明を省略する。
【０１０５】
第二動作処理では、第二動作部材２３０は、後退位置と進出位置との間を瞬時に移動することはない。従って、腰部５０Ｃ、連動部５０Ｇの下部、及び左太腿部５０Ｄは、第一動作処理よりも長い周期で、前後方向に往復移動する。よって、第二動作処理では、第一動作処理に比べて、装飾カバー５０の変形過程が、遊技者に視認し易くなる。
【０１０６】
（１０．本実施形態の作用効果及び変形例の例示）
以上、説明したように、第一上駆動処理では、連動部５０Ｇの上部は、胸部５０Ｂ（第一動作部材１４０）の動きに連動（従動）する一方、連動部５０Ｇの下部は動作しない。一方、第二上駆動処理では、連動部５０Ｇの上部は、第一動作部材１４０に連動して（従動して）動作し、連動部５０Ｇの下部は、第二動作部材２３０と共に、細かく前後方向に振動する。以上のように、連動部５０Ｇの動作態様（動作量、動作範囲、動作速度、及び動作姿勢の少なくとも一つ）は、第二動作部材２３０の配置位置によって、変化する。換言すると、第二動作部材２３０が後退位置と進出位置との間で変位することで、連動部５０Ｇの動作態様は変化する。故に、パチンコ機１は、第一動作部材１４０に連動する連動部５０Ｇの動きを多彩にできる。特に本実施形態では、連動部５０Ｇが、遊技者に視認可能な装飾体である。従って、連動部５０Ｇの動きが多彩になることで、パチンコ機１は、連動部５０Ｇを動作させることによる演出効果を向上できる。
【０１０７】
また、第一動作処理では、連動部５０Ｇの上部は胸部５０Ｂの動きに連動し、連動部５０Ｇの下部は腰部５０Ｃの動きに連動する。特に連動部５０Ｇの下部は、腰部５０Ｃと共に瞬時に前側に変位した後、そのまま前後に細かく振動し、さらにその後、腰部５０Ｃと共に徐々に後方に変位しながら細かく前後に振動する。また、第二動作処理では、連動部５０Ｇの上部は胸部５０Ｂの動きに連動する一方、連動部５０Ｇの下部は、第一動作処理よりも長い周期でゆっくりと前後方向に往復移動すると共に、前後方向に細かく振動する。従って、第一動作処理と第二動作処理では、連動部５０Ｇと腰部５０Ｃの動作態様は、第一上駆動処理と第二上駆動処理とは異なる。故に、連動部５０Ｇの動きは更に多彩にできるので、パチンコ機１は、連動部５０Ｇを動作させることによる演出効果を更に向上できる。
【０１０８】
第二上駆動処理、第一動作処理、及び第二動作処理では、第二動作部材２３０は、第三駆動モータ２７０の駆動に伴って、支持柱２３４を中心に回転動作する。第三駆動モータ２７０の動力が伝達される第二動作部材２３０の動作は、安定化する。より詳細には、第二動作部材２３０の動作量、動作タイミングが、安定化する。また、第二上駆動処理、第一動作処理、及び第二動作処理では、第二動作部材２３０の動作は、連動部５０Ｇの伸縮による細かな振動と、作用ピン２７３の回転による前後方向の変位とを含む。これにより、腰部５０Ｃの動作は、多彩になるので、パチンコ機１は、装飾カバー５０の動作させることによる演出効果を向上できる。
【０１０９】
連動部５０Ｇの上部は、第一駆動モータ１６０と第二駆動モータ１７０の夫々の駆動に伴って上下方向と左右方向とに往復揺動する結果、正面視で時計回りに回転動作する。これにより、連動部５０Ｇの動きは、更に多彩になる。
【０１１０】
第二動作部材２３０は、第一動作部材１４０が動作する方向と交差する方向に動作する。連動部５０Ｇの上部は第一動作部材１４０に連動して動作し、連動部５０Ｇの下部は第二動作部材２３０に連動して動作するので、連動部５０Ｇの動きは更に多彩になる。
【０１１１】
第二上駆動処理、第一動作処理、及び第二動作処理では、連動部５０Ｇの伸縮動作によって、腰部５０Ｃは第二動作部材２３０と共に細かく前後方向に振動する。即ち、第二動作部材２３０は、連動部５０Ｇの動作に連動して動作する。これにより、連動部５０Ｇは、装飾カバー５０に作用する負荷を逃がす。よって、パチンコ機１は、装飾カバー５０（詳細には連動部５０Ｇの下部）に作用する負荷を低減できる。
【０１１２】
以上説明にて、第一駆動モータ１６０と第二駆動モータ１７０は本発明の「第一駆動手段」の一例である。装飾カバー５０は本発明の「連結部材」の一例である。第三駆動モータ２７０は本発明の「第二駆動手段」の一例である。左右方向は本発明の「第一方向」の一例である。上下方向は本発明の「第二方向」の一例である。前後方向は本発明の「交差する方向」の一例である。
【０１１３】
本発明は、上記実施形態に限定されず、各種変形が可能である。装飾カバー５０は、人間以外の生体（例えば、動物、植物）を模した形状であってもよいし、生体以外（例えば、建造物、物品、記号、図形、キャラクタ）を模した形状であってもよい。装飾カバー５０は、他の所定方向（例えば、左右方向）に延びる形状でもよい。
【０１１４】
連動部５０Ｇは正面視で時計回りに回転動作する代わりに、左側面視で反時計回りに回転動作してもよい。この場合、連動部５０Ｇは、第一駆動モータ１６０と第二駆動モータ１７０の夫々の動力によって、上下方向と前後方向とに往復揺動してもよい。連動部５０Ｇは、単一のモータの動力によって直線移動する構成であってもよいし、単一のモータの動力によって回転動作する構成であってもよい。これにより、張出部５０Ｆの動作の仕方は、種々変化する。
【０１１５】
同様に、第二動作部材２３０は、二つのモータの動力によって、例えば上下方向と左右方向の夫々の方向に往復揺動する構成であってもよいし、単一のモータの動力によって、例えば上下方向に往復移動する構成であってもよい。
【０１１６】
第一動作部材１４０と第二動作部材２３０は、夫々、モータの動力によって動作する代わりに、例えばソレノイド等の駆動手段によって動作してもよい。第二動作部材２３０は、第三駆動モータ２７０に連結していなくてもよい。この場合、第二動作部材２３０は、例えば上下方向に移動可能に設けられ、連動部５０Ｇの動きに連動して動作してもよい。
【０１１７】
第一動作部材１４０と第二動作部材２３０は、左右方向に並んで設けられ、装飾カバー５０は左右方向に延びてもよい。この場合、第一動作部材１４０と第二動作部材２３０の動作に連動して、装飾カバー５０は正面視で往復回動してもよい。この場合、第一動作部材１４０に連結する装飾カバー５０の部位の回動範囲が、第二動作部材２３０の動作に応じて、変化するのであれば、装飾カバー５０の連動部５０Ｇの動作態様は、第二動作部材２３０の動きに応じて変化することとなる。
【０１１８】
装飾カバー５０は、可撓性を有するシート状である代わりに、例えば、多節リンクによって構成されてもよい。例えば、装飾カバー５０の上端部が第一動作部材１４０に連結され、装飾カバー５０の下端部が第二動作部材２３０に連結される。この場合であっても、第一動作部材１４０に連動する装飾カバー５０の動作範囲は、第二動作部材２３０が配置される位置に応じて、変化する。即ち、第一動作部材１４０に連動する装飾カバー５０の連動部５０Ｇの動作態様は、第二動作部材２３０の動作に応じて変化する。尚、多節リンンクによって構成される装飾カバー５０は、遊技者に目視可能でなくてもよい。
【０１１９】
尚、請求項、明細書及び図面に記載される全ての要素（例えば、画像表示装置、始動口等）は、個数を意識的に限定する明確な記載がない限り、物理的に単一であっても複数であっても構わないし、適宜配置の変更が行われても構わない。また、前記要素につけられた名称（要素名）は、単に本件の記載のために便宜上付与したにすぎないものであり、それによって特別な意味が生じることを特に意識したものではない。 従って、要素名のみによって要素が何であるかが限定解釈されるものではない。例えば、「第一駆動手段」、「第二駆動手段」は、ハード単体でも、ソフトを含んだものであっても構わない。 
【０１２０】
更には、上記全ての要素のうちの複数の要素を適宜一体的に構成するか、もしくはひとつの要素を複数の要素に分けて構成するかは、何れも当業者であれば容易に考えられる事項であり、敢えて明細書等において全パターンを記載しなくても何れのパターンも想定範囲内であることは明らかであることから、特許請求の範囲等においてそれらを明確に除外している旨の記載がない限りは、それら全てについて本発明に係る権利範囲に含まれることは言うまでもない。従って、その程度の範囲内での構成上の差異を、本実施例に記載がなされていないことを理由に遊技機に採用することのみでは、本発明に係る権利を回避したことにはあたらない。その他、各要素の構成や形状等における、本実施例から当業者であれば容易に考えられる自明な範囲の差異についても同様である。
【符号の説明】
【０１２１】
１      パチンコ機
５０      装飾カバー
１４０    第一動作部材
１６０    第一駆動モータ
１７０    第二駆動モータ
２３０    第二動作部材
２７０    第三駆動モータ
【図１】
2018094136.tif 000003
【図２】
2018094136.tif 000004
【図３】
2018094136.tif 000005
【図４】
2018094136.tif 000006
【図５】
2018094136.tif 000007
【図６】
2018094136.tif 000008
【図７】
2018094136.tif 000009
【図８】
2018094136.tif 000010
【図９】
2018094136.tif 000011
【図１０】
2018094136.tif 000012
【図１１】
2018094136.tif 000013
【図１２】
2018094136.tif 000014
【図１３】
2018094136.tif 000015
【図１４】
2018094136.tif 000016
【図１５】
2018094136.tif 000017
【図１６】
2018094136.tif 000018
【図１７】
2018094136.tif 000019
【図１８】
2018094136.tif 000020
【図１９】
2018094136.tif 000021
【図２０】
2018094136.tif 000022
【図２１】
2018094136.tif 000023
【図２２】
2018094136.tif 000024
【図２３】
2018094136.tif 000025
【図２４】
2018094136.tif 000026